(57)【要約】      （修正有）【課題】下側に開口を有する送風ファンにおいて、回転部の軸方向における移動を簡単な構造で抑制する。【解決手段】送風ファン１は、モータ部１２と、複数の翼１１と、金属板のプレス加工にて形成され、モータ部および複数の翼の下方に位置する下プレート部１３２を備え、下プレート部が、モータ部が固定されるモータ固定部３１と、モータ固定部の外縁部に設けられた屈曲部３２と、周辺部３４と、モータ固定部と周辺部を屈曲部を介して、または、直接的に接続する複数のリブを備え、屈曲部が、モータ部の回転部２２のロータマグネット２２４の下方にて中心軸Ｊ１を中心として環状に存在し、屈曲部が、モータ固定部の外縁部から上方へと向かう起立部と、起立部の上端から径方向外方へと広がる上面部を有し、屈曲部、周辺部および複数のリブにより、複数の翼の下方に位置する複数の開口１５２が形成される。【選択図】図１
2012163021.tif 000002
【特許請求の範囲】
【請求項１】
モータ部と、
前記モータ部の回転部の外側面に固定され、前記モータ部により中心軸を中心に回転する複数の翼と、
金属板のプレス加工にて形成され、前記モータ部および前記複数の翼の下方に位置する下プレート部と、
を備え、
前記下プレート部が、
前記モータ部が固定されるモータ固定部と、
前記モータ固定部の外縁部に設けられた屈曲部と、
周辺部と、
前記モータ固定部と前記周辺部とを前記屈曲部を介して、または、直接的に接続する複数のリブと、
を備え、
前記屈曲部が、前記回転部のロータマグネットの下方にて前記中心軸を中心として環状に存在し、
前記屈曲部が、前記モータ固定部の前記外縁部から上方へと向かう起立部と、前記起立部の上端から径方向外方へと広がる上面部と、を有し、
前記屈曲部、前記周辺部および前記複数のリブにより、前記複数の翼の下方に位置する複数の開口が形成される、送風ファン。
【請求項２】
前記複数の翼の側方を覆う側壁部をさらに備え、
前記周辺部が、前記側壁部の下端部を固定する、請求項１に記載の送風ファン。
【請求項３】
前記複数のリブが、前記屈曲部の前記上面部から径方向外方へと延びる、請求項１または２に記載の送風ファン。
【請求項４】
前記複数のリブが、径方向外方に向かうに従って下方へと傾斜する、請求項３に記載の送風ファン。
【請求項５】
前記屈曲部が、前記上面部の径方向外側の端部から下方へと向かう下降部、をさらに有し、
前記複数のリブが、前記下降部の下端から径方向外方へと延びる、請求項１または２に記載の送風ファン。
【請求項６】
前記複数のリブが、前記中心軸に対して垂直である、請求項３に記載の送風ファン。
【請求項７】
前記複数のリブが、前記モータ固定部から径方向外方へと延び、
前記屈曲部が、前記モータ固定部の前記外縁部において前記複数のリブの間に設けられる、請求項１または２に記載の送風ファン。
【請求項８】
前記複数の翼の下側エッジが、前記回転部の前記外側面から前記中心軸に垂直な方向に延びる直線部を含み、
径方向において、前記上面部の径方向外側の端部が、前記直線部の径方向外側の端点と前記ロータマグネットの外側面との間に位置する、または、前記ロータマグネットの外側面と一致する、請求項１ないし７のいずれかに記載の送風ファン。
【請求項９】
径方向において、前記上面部の前記径方向外側の端部が、前記回転部の前記外側面と前記ロータマグネットの前記外側面との間に位置する、または、前記回転部の前記外側面もしくは前記ロータマグネットの前記外側面と一致する、請求項８に記載の送風ファン。
【請求項１０】
前記複数の翼の最も下側の部位が、前記屈曲部の前記上面部よりも下方に位置する、請求項１ないし９のいずれかに記載の送風ファン。
【請求項１１】
前記モータ固定部が、前記周辺部よりも上方に位置する、請求項１０に記載の送風ファン。
【請求項１２】
前記モータ部が、前記モータ固定部上に配置された回路基板をさらに備え、
前記モータ固定部が、前記回路基板に取り付けられた電子部品が挿入される孔部または切欠部を備える、請求項１ないし１１のいずれかに記載の送風ファン。
【請求項１３】
前記モータ部が、前記モータ固定部上に配置された回路基板をさらに備え、
前記モータ固定部の前記外縁部に、前記屈曲部が部分的に存在しない屈曲部不存在領域が設けられ、
前記屈曲部不存在領域に、前記回路基板に取り付けられた集積回路が位置する、請求項１ないし１１のいずれかに記載の送風ファン。
【発明の詳細な説明】
【技術分野】
【０００１】
本発明は、エアを送出する送風ファンに関する。
【背景技術】
【０００２】
従来より、様々な電子機器や家電製品の筐体内部に送風ファンが設けられる。米国特許出願公開第２００６／０２７３６６７号明細書には放熱ファン等に利用されるモータが開示される。モータは、ベースと、ロータと、磁性部材であるバランシング部と、を備える。バランシング部は、ベースの上面上に固定され、径方向外方に延びる複数の伸長部を有する。ロータは、軸受を介してベースの上側に配置される。モータでは、ロータに設けられた環状の磁石とバランシング部の伸長部とが軸方向に対向する。伸長部と磁石との間において、磁気吸引力が生じる。これにより、モータの回転に伴う振動を低減することができる。
【０００３】
特開２００１−５７７５５号公報に開示されるディスク駆動用モータでは、ベースプレートが、円板状の基部と、基部から立ち上がるロータ案内片と、を備える。軸方向において、ロータ案内片は、ロータの環状の永久磁石と対向する。モータの回転時には、永久磁石とロータ案内片との間に磁気吸引力が生じ、ロータはロータ案内片に傾倒した状態にて安定して回転する。これにより、ロータの回転の振れを低減することができる。特開２００５−１９２３１３号公報の図３に開示されるハードディスクドライブのモータでは、ベースの底部に円周方向に延びるリブ状の凸部が設けられる。凸部はロータ部のマグネット部と上下方向に対向する。モータの回転時には、凸部とマグネット部との間に生じる引力により、ロータ部の浮上量を調整することができる。
【特許文献１】米国特許出願公開第２００６／０２７３６６７号明細書
【特許文献２】特開２００１−５７７５５号公報
【特許文献３】特開２００５−１９２３１３号公報
【発明の概要】
【発明が解決しようとする課題】
【０００４】
ところで、送風ファンでは、外部からの衝撃や送風ファンの駆動時の振動により、回転部がベースから離れる方向に力を受ける場合がある。従来より、このような送風ファンでは、ベース上にロータマグネットの下面と上下方向に対向する磁性部材を取り付けることにより、磁性部材とロータマグネットとの間に磁気吸引力を生じさせ、回転部の軸方向における移動が防止される。しかし、下側に吸気または排気用の開口が設けられる送風ファンの場合、送風ファンの下部の構造は、開口が設けられないものに比べて複雑である。したがって、このような送風ファンに磁性部材を設けようとすると、送風ファンの下部の構造がより複雑になるとともに、部品点数も増加してしまう。
【０００５】
本発明は、下側に開口を有する送風ファンにおいて、回転部の軸方向における移動を簡単な構造で抑制することを目的としている。
【課題を解決するための手段】
【０００６】
本発明の一の側面に係る例示的な送風ファンは、モータ部と、前記モータ部の回転部の外側面に固定され、前記モータ部により中心軸を中心に回転する複数の翼と、金属板のプレス加工にて形成され、前記モータ部および前記複数の翼の下方に位置する下プレート部と、を備え、前記下プレート部が、前記モータ部が固定されるモータ固定部と、前記モータ固定部の外縁部に設けられた屈曲部と、周辺部と、前記モータ固定部と前記周辺部とを前記屈曲部を介して、または、直接的に接続する複数のリブと、を備え、前記屈曲部が、前記回転部のロータマグネットの下方にて前記中心軸を中心として環状に存在し、前記屈曲部が、前記モータ固定部の前記外縁部から上方へと向かう起立部と、前記起立部の上端から径方向外方へと広がる上面部と、を有し、前記屈曲部、前記周辺部および前記複数のリブにより、前記複数の翼の下方に位置する複数の開口が形成される。
【発明の効果】
【０００７】
本発明によれば、回転部の軸方向における移動を簡単な構造で抑制することができる。
【図面の簡単な説明】
【０００８】
【図１】図１は、一の実施形態に係る送風ファンを示す断面図である。
【図２】図２は、下プレート部の平面図である。
【図３】図３は、送風ファンの断面図である。
【図４】図４は、下プレート部の平面図である。
【図５】図５は、他の例に係る送風ファンの断面図である。
【図６】図６は、さらに他の例に係る送風ファンの断面図である。
【図７】図７は、さらに他の例に係る送風ファンの断面図である。
【図８】図８は、さらに他の例に係る下プレート部の斜視図である。
【図９】図９は、下プレート部の平面図である。
【図１０】図１０は、さらに他の例に係る送風ファンの断面図である。
【発明を実施するための形態】
【０００９】
本明細書では、モータの中心軸方向における図１の上側である紙面左側を単に「上側」と呼び、下側である紙面右側を単に「下側」と呼ぶ。なお、上下方向は、実際の機器に組み込まれたときの位置関係や方向を示すものではない。また、中心軸に平行な方向を「軸方向」と呼び、中心軸を中心とする径方向を単に「径方向」と呼び、中心軸を中心とする周方向を単に「周方向」と呼ぶ。
【００１０】
図１は、本発明の例示的な一の実施形態に係る送風ファン１を示す断面図である。送風ファン１は、遠心ファンであり、例えば、ノート型パーソナルコンピュータ内の電子部品の冷却に利用される。送風ファン１は、複数の翼１１と、モータ部１２と、ハウジング１３と、を備える。翼１１は、モータ部１２から径方向外方に延びる。翼１１は、モータ部１２により中心軸Ｊ１を中心に回転する。
【００１１】
ハウジング１３は、モータ部１２および翼１１を収納する。ハウジング１３は、上プレート部１３１と、下プレート部１３２と、側壁部１３３と、を備える。上プレート部１３１は金属にて形成される。上プレート部１３１は、モータ部１２および翼１１の上方に位置する。上プレート部１３１は、軸方向において翼１１およびモータ部１２に重なる１つの吸気口１５１を有する。以下、吸気口１５１を「上側吸気口１５１」という。上側吸気口１５１は、中心軸Ｊ１を中心とする略円形である。
【００１２】
下プレート部１３２は、金属板のプレス加工にて形成される。下プレート部１３２は、モータ部１２および翼１１の下方に位置する。下プレート部１３２には、吸気口である複数の開口１５２が設けられる。以下、開口１５２を「下側吸気口１５２」という。下側吸気口１５２は、翼１１の下方に位置する。側壁部１３３は、樹脂にて形成される。側壁部１３３は、翼１１の側方を覆う。側壁部１３３の上端部には、上プレート部１３１がネジ止め等により固定される。側壁部１３３の下端部は、下プレート部１３２とインサート成型により締結される。送風ファン１では、上プレート部１３１、下プレート部１３２および側壁部１３３により、図１の右側に示す送風口１５３が形成される。側壁部１３３はインサート成型以外の手法により設けられてよく、樹脂以外の材料により形成されてもよい。
【００１３】
モータ部１２は、アウターロータ型である。モータ部１２は、静止部２１と、回転部２２と、を備える。静止部２１は、軸受であるスリーブ２３と、軸受保持部２４と、ステータ２１０と、回路基板２５と、を備える。スリーブ２３は、中心軸Ｊ１を中心とする略円筒状である。スリーブ２３は、含油性の多孔質金属体である。軸受保持部２４は、中心軸Ｊ１を中心とする有底略円筒状であり、内部にスリーブ２３を保持する。軸受保持部２４は、樹脂により形成される。軸受保持部２４の下端部は、モータ固定部３１の中央に設けられた中央孔部３２７とインサート成型により締結される。軸受保持部２４はインサート成型以外の手法により設けられてよく、樹脂以外の材料により形成されてもよい。
【００１４】
ステータ２１０は、中心軸Ｊ１を中心とする環状であり、軸受保持部２４の外側面に取り付けられる。ステータ２１０は、ステータコア２１１と、インシュレータ２１２と、コイル２１３と、を備える。ステータコア２１１は、薄板状の珪素鋼板が積層されて形成される。インシュレータ２１２は、ステータコア２１１の表面を被覆する絶縁体である。インシュレータ２１２上に導線が巻回されることによりコイル２１３が形成される。回路基板２５は、インシュレータ２１２の下部に固定される。これにより、ステータ２１０からの引出線を回路基板２５に容易に接続することができる。
【００１５】
回転部２２は、シャフト２２１と、ロータホルダ２２２と、ヨーク２２３と、ロータマグネット２２４と、を備える。シャフト２２１は、スリーブ２３に挿入され、スリーブ２３により回転可能に支持される。ロータホルダ２２２は、中心軸Ｊ１を中心とする有蓋略円筒状である。ロータホルダ２２２の蓋部には、シャフト２２１の上端部が固定される。複数の翼１１は、ロータホルダ２２２の外側面２２２ａから径方向外方に向かって延びる。ロータホルダ２２２および複数の翼１１は一つの部材として形成される。すなわち、複数の翼１１は、ロータホルダ２２２の外側面２２２ａに固定された状態となっている。翼１１の下側エッジ１１ａの中心軸Ｊ１近傍の部位１１１は、外側面２２２ａから中心軸Ｊ１に垂直に延びる。以下、部位１１１を「直線部１１１」と呼ぶ。下側エッジ１１ａの径方向外側の部位１１２は、直線部１１１よりも下方に位置する。翼１１の上側エッジ１１ｂの形状は、下側エッジ１１ａを上下に反転したものとほぼ同様である。
【００１６】
ヨーク２２３は、中心軸Ｊ１を中心とする略円筒状であり、ロータホルダ２２２の内側面に固定される。ロータマグネット２２４は、中心軸Ｊ１を中心とする略円筒状であり、ヨーク２２３の内側面に固定される。
【００１７】
モータ部１２では、ステータ２１０に電力が供給されることにより、ロータマグネット２２４とステータ２１０との間に、中心軸Ｊ１を中心とするトルクが発生する。これにより、回転部２２および翼１１が、中心軸Ｊ１を中心として回転する。翼１１の回転により、上側吸気口１５１および下側吸気口１５２からハウジング１３内へとエアが吸引され、送風口１５３から送出される。
【００１８】
図２は、下プレート部１３２の平面図である。図２における上側が図１における右側に対応する。下プレート部１３２は、モータ固定部３１と、屈曲部３２と、複数のリブ３３と、周辺部３４と、を備える。モータ固定部３１は略円形である。モータ部１２は、モータ固定部３１上に固定される。モータ固定部３１では、中央孔部３２７の周囲に、円形の複数の小さい孔部３１３および大きい孔部３１４が設けられる。
【００１９】
屈曲部３２は、モータ固定部３１の外縁部３１１に設けられる。平面視において、屈曲部３２は、中心軸Ｊ１を中心として環状に広がる。ただし、モータ固定部３１の外縁部３１１の一部の領域３１２は、径方向内方に向かって切り欠かれた形状となっており、当該領域３１２には、屈曲部３２が存在しない。以下、領域３１２を「屈曲部不存在領域３１２」と呼ぶ。
【００２０】
図３は、送風ファン１のロータマグネット２２４の下部近傍を示す断面図である。屈曲部３２は、起立部３２１と、上面部３２２と、を備える。起立部３２１は、モータ固定部３１の外縁部３１１から上方へと向かう。上面部３２２は、起立部３２１の上端から径方向外方へと広がる。
【００２１】
径方向において、上面部３２２の径方向外側の端部３２２ａは、ロータホルダ２２２の外側面２２２ａとロータマグネット２２４の外側面２２４ａとの間に位置する。軸方向において、翼１１の下側エッジ１１ａの径方向外側の部位１１２、すわなち、翼１１の最も下側の部位は、上面部３２２よりも下方に位置する。
【００２２】
図２に示すように、複数のリブ３３は、周方向に等間隔に配置される。平面視した場合に、リブ３３は径方向に対して傾斜する。また、図３に示すように、リブ３３は、上面部３２２の径方向外側の端部３２２ａから径方向外方に向かうに従って下方へと傾斜する。図３では、リブ３３の断面よりも奥側に位置する部分も示している。リブ３３が水平方向に対して傾斜することにより、リブ３３による通風抵抗を低減することができる。リブ３３は、モータ固定部３１と周辺部３４とを屈曲部３２を介して接続する。軸方向において、周辺部３４は、屈曲部３２の上面部３２２よりも下側に位置する。周辺部３４の径方向外側の端部は、図１の側壁部１３３の下端部に固定される。図２および図３に示すように、下プレート部１３２では、屈曲部３２、複数のリブ３３および周辺部３４により、複数の下側吸気口１５２が形成される。
【００２３】
図１に示す上プレート部１３１の外形は、図２に示す下プレート部１３２からモータ固定部３１、屈曲部３２およびリブ３３を省略した形状とほぼ同様である。
【００２４】
図４は、モータ固定部３１を拡大して示す平面図である。図４中に二点鎖線にて示すように、回路基板２５は、円形部２５１と、突出部２５２と、を備える。円形部２５１は、屈曲部３２の内側にて、モータ固定部３１上に配置される。軸方向において、回路基板２５の軸方向の位置は屈曲部３２とほぼ同じである。突出部２５２は、円形部２５１から屈曲部不存在領域３１２に向かって突出する。突出部２５２の下面には、集積回路２６が取り付けられ、集積回路２６は屈曲部不存在領域３１２に位置する。円形部２５１の下面には、モータ固定部３１の複数の孔部３１３，３１４に対向して、図示省略の電子部品や下方に突出するピンが位置する。電子部品やピンは、必要に応じて孔部３１３，３１４に挿入される。孔部３１３，３１４が設けられることにより、電子部品等を有する回路基板２５とモータ固定部３１との干渉を避けることができ、モータ固定部３１と回路基板２５とを近づけることができる。その結果、送風ファン１を薄型化することができる。
【００２５】
図３に示すように、ロータマグネット２２４は、屈曲部３２の上面部３２２と軸方向に対向する。ロータマグネット２２４と上面部３２２との間には、磁気吸引力が生じる。上面部３２２は、中心軸Ｊ１を中心として実質的に環状に存在するため、ロータマグネット２２４と上面部３２２との間の磁気吸引力は、周方向にほぼ均等に生じる。これにより、外部からの衝撃や駆動時における送風ファン１の振動により回転部２２に上方へと向かう力、すわなち、モータ固定部３１から離れる方向の力が生じても、回転部２２の上方への移動を防止することができる。その結果、回転部２２のがたつきを防止することができる。
【００２６】
以上に説明したように、送風ファン１では、屈曲部３２が設けられることにより、回転部２２に対して容易にスラスト荷重を発生させることができる。モータ固定部上にロータマグネットと上下方向に対向する磁性部材を別途設ける送風ファンに比べて、回転部２２の軸方向における移動を簡単な構造で防止することができる。また、部品点数を削減することができ、製造コストを抑えることができる。磁性部材が設けられる送風ファンに比べて、送風ファン１を薄型化することができる。送風ファン１では、回転部３にスラスト荷重を発生させるために、ステータ２１０の軸方向の磁気センタをロータマグネット２２４の磁気センタよりも下側にずらす、いわゆる、磁気オフセットを利用する場合に比べて、電磁音を低減することができる。なお、送風ファン１では、ステータ２１０の磁気センタとロータマグネット２２４の磁気センタとの軸方向の位置が一致することが好ましいが、電磁音が問題とならない範囲で磁気オフセットを併用してもよい。
【００２７】
リブ３３が、屈曲部３２の上面部３２２から径方向外方へと延びることにより、リブ３３が形成される位置に屈曲部３２を存在させることができる。これにより、ロータマグネット２２４とロータマグネット２２４の下方に位置する上面部３２２との間に磁気吸引力を十分に発生させることができる。リブ３３が径方向外方に向かうに従って下方へと傾斜することにより、翼１１の径方向外側の部位のためのスペースを確保することができる。翼１１の下側エッジ１１ａの最も下側の部位が、上面部３２２よりも下方に位置することにより、翼面積を大きくすることができ、エアの吸排気量を増加させることができる。リブ３３の径方向内側の部位がモータ固定部３１および周辺部３４よりも上側に位置するため、送風ファン１の下方からのエアの流路を広くすることができ、下側吸気口１５２からの吸気を効率よく行うことができる。
【００２８】
上面部３２２の径方向外側の端部３２２ａは、好ましくは、径方向において、図３に示す翼１１の直線部１１１の径方向外側の端点１１１ａとロータマグネット２２４の外側面２２４ａとの間に設けられる。端部３２２ａの位置は、径方向において、ロータマグネット２２４の外側面２２４ａの位置と一致してもよい。これにより、通風抵抗を抑えつつ磁気的作用を十分に確保することができる。より好ましくは、端部３２２ａは、ロータホルダ２２２の外側面２２２ａとロータマグネット２２４の外側面２２４ａとの間に位置する、または、端部３２２ａの位置は、径方向において、ロータホルダ２２２の外側面２２２ａもしくはロータマグネット２２４の外側面２２４ａの位置と一致する。これにより、通風抵抗をより低減することができる。以下の下プレート部の他の例においても同様である。
【００２９】
図５は、下プレート部の他の例を示す図である。下プレート部１３２ａには、上方に向かって凸となる屈曲部３２ａが設けられる。屈曲部３２ａは、起立部３２１と、上面部３２２と、下降部３２３と、を備える。起立部３２１は、モータ固定部３１の外縁部３１１から上方へと向かう。上面部３２２は、起立部３２１の上端から径方向外方へと広がる。下降部３２３は、上面部３２２の径方向外側の端部から下方へと向かう。リブ３３は、下降部３２３の下端から径方向外方へと延びる。
【００３０】
屈曲部３２ａは、ロータマグネット２２４の下方にて中心軸Ｊ１を中心として環状に存在する。ロータマグネット２２４と上面部３２２との間には、周方向にほぼ均等に磁気吸引力が生じる。送風ファン１では、屈曲部３２ａを設けることにより、回転部２２の軸方向における移動を簡単な構造で防止することができる。
【００３１】
下プレート部１３２ａでは、下降部３２３の下端にリブ３３が接続することにより、リブ３３全体を上面部３２２よりも十分に下方に位置させることができる。その結果、翼１１のスペースを容易に確保することができる。また、翼１１の下側エッジ１１ａの径方向外側の部位１１２は、屈曲部３２の上面部３２２よりも下方に位置する。これにより、翼面積を大きくすることができ、エアの吸排気量を増加させることができる。
【００３２】
図６は、下プレート部のさらに他の例を示す図である。下プレート部１３２ｂでは、リブ３３が、屈曲部３２の上面部３２２から、中心軸Ｊ１に垂直に延びる。周辺部３４の径方向内側の部位３４１は、上方に向かって立ち上がり、リブ３３の径方向外側の端部に接続される。
【００３３】
下プレート部１３２ｂでは、上面部３２２に接続するリブ３３が中心軸Ｊ１に対して垂直であることにより、リブ３３全体がモータ固定部３１および周辺部３４よりも上側に位置する。これにより、リブ３３の下側に空間１５４が形成される。送風ファン１が機器内の狭いスペースに配置される場合、モータ固定部３１および周辺部３４と、機器内の面９とが近接するが、空間１５４から下側吸気口１５２にエアが導かれるため、下側吸気口１５２からの吸気を効率よく行うことができる。また、リブ３３が翼１１の根本部分に近づくことにより、リブ３３による通風抵抗を低減することができる。
【００３４】
図７は、下プレート部のさらに他の例を示す図である。下プレート部１３２ｃでは、モータ固定部３１が、周辺部３４よりも上方に位置する。周辺部３４が機器内の面９に近接する状態において、モータ固定部３１と面９との間には、大きな空間１５５が形成される。これにより、送風ファン１が機器内の狭いスペースに配置されても、下側吸気口１５２からの吸気をより効率よく行うことができる。また、モータ固定部３１の下側に空間１５５が存在することにより、モータ固定部３１やリブ３３による通風抵抗を低減することができる。下プレート部１３２ｃでは、周辺部３４が回転部２２よりも下方に大きく離間することから、翼１１のスペースをより容易に確保することができる。
【００３５】
図８は、下プレート部のさらに他の例を示す斜視図である。図８では、下プレート部１３２ｄに固定された側壁部１３３も示している。図９は、下プレート部１３２ｄおよび側壁部１３３の平面図である。図９の上側は、図８の左下側に対応する。下プレート部１３２ｄは、円形のモータ固定部３１と、複数の屈曲片３５と、複数のリブ３３と、周辺部３４と、を備える。リブ３３は、モータ固定部３１の外縁部３１１から径方向外方へと延びる。屈曲片３５は、起立部３５１と、上面部３５２と、を備える。起立部３５１は、モータ固定部３１の外縁部３１１において隣接するリブ３３の間に設けられ、外縁部３１１から上方へと向かう。上面部３５２は、円弧状であり、起立部３５１の上端から径方向外方へと広がる。
【００３６】
下プレート部１３２ｄでは、モータ固定部３１の外縁部３１１上に複数の屈曲片３５が周方向に等間隔に配置されることにより、中心軸Ｊ１を中心として環状に存在する屈曲部３２ｂが構成される。送風ファン１が組み立てられた状態において、屈曲部３２ｂがロータマグネット２２４の下方に位置し、屈曲部３２ｂとロータマグネット２２４との間にて、磁気吸引力が生じる。これにより、回転部２２の上方への移動を防止することができる。
【００３７】
下プレート部１３２ｄでは、リブ３３がモータ固定部３１と周辺部３４とを直接的に接続するため、リブ３３をモータ固定部３１および周辺部３４と面一とすることができる。その結果、リブ３３の上方に翼１１のスペースを容易に確保することができる。
【００３８】
以上、本発明の実施形態について説明したが、本発明は、上記実施形態に限定されるものではなく、様々な変更が可能である。例えば、上記実施形態では、図１０に示すように、屈曲部３２に上面部３２２の径方向外側の端部から上方に延びる部位３２４が設けられてもよい。この場合、ロータマグネット２２４をロータホルダ２２２よりも下方に突出させることにより、径方向において、ロータマグネット２２４の下部と屈曲部３２の上記部位３２４との間に磁気吸引力を生じさせることができる。これにより、回転部２２の上方への移動をより確実に防止することができる。図１０では、部位３２４をロータホルダ２２２よりも僅かに径方向外側に位置させてもよい。この場合、下方に向かって流れるエアが、屈曲部３２とロータホルダ２２２との間を通ってモータ部１２内部に導かれ、回路基板２５が冷却される。
【００３９】
モータ固定部３１には、孔部３１３，３１４に代えて、回路基板２５の下面上の電子部品等が挿入される切欠部が設けられてもよい。上記実施形態では、リブ３３の数は３であるが、２以上の他の数であってもよい。
【００４０】
送風ファン１では、上プレート部１３１がアルミニウムや亜鉛等のダイカストを利用して、あるいは、樹脂にて成型されてもよい。これらの場合、外形が下プレート部とは大きく異なる上プレート部１３１が成型されてもよい。上プレート部１３１が樹脂にて成型される場合は、側壁部１３３と一繋がりの部材であることが好ましい。屈曲部３２，３２ａ，３２ｂにより回転部２２の移動を防止する手法は、吸気が下側吸気口１５２のみにて行われる送風ファンに適用されてもよい。また、当該手法は、上プレート部１３１および側壁部１３３を有しないファンに利用されてもよい。この場合、例えば、送風ファン１が組み込まれる機器が有する部材が、側壁部や上プレート部の役割を果たす。屈曲部３２，３２ａ，３２ｂにより回転部２２の移動を防止する手法は、軸流ファン等の他の送風ファンに適用されてもよい。
【００４１】
上記実施形態および各変形例における構成は、相互に矛盾しない限り適宜組み合わせられてよい。
【産業上の利用可能性】
【００４２】
本発明に係る送風ファンは、筐体内部における電子部品の冷却や様々な対象物に対する空気の供給等に利用可能である。さらに、他の用途として利用することができる。
【符号の説明】
【００４３】
１    送風ファン
１１    翼
１１ａ    （翼の）下側エッジ
１２    モータ部
２２    回転部
２５    回路基板
２６    集積回路
３１    モータ固定部
３２，３２ａ，３２ｂ    屈曲部
３３    リブ
３４    周辺部
１１１    直線部
１１１ａ    （直線部の）端点
１１２    （下側エッジの）径方向外側の部位
１３２，１３２ａ〜１３２ｄ    下プレート部
１３３    側壁部
１５２    下側吸気口
２２２    ロータホルダ
２２２ａ    （ロータホルダの）外側面
２２４    ロータマグネット
２２４ａ    （ロータマグネットの）外側面
３１１    （モータ固定部の）外縁部
３１２    屈曲部不存在領域
３１３，３１４    孔部
３２１，３５１    起立部
３２２，３５２    上面部
３２２ａ    （上面部の）端部
３２３    下降部
Ｊ１    中心軸
【図１】
2012163021.tif 000003
【図２】
2012163021.tif 000004
【図３】
2012163021.tif 000005
【図４】
2012163021.tif 000006
【図５】
2012163021.tif 000007
【図６】
2012163021.tif 000008
【図７】
2012163021.tif 000009
【図８】
2012163021.tif 000010
【図９】
2012163021.tif 000011
【図１０】
2012163021.tif 000012